(57)【特許請求の範囲】
【請求項１】
マンホール本体とリブ付きパイプと可とう継ぎ手とを備えており、前記可とう継ぎ手によって、前記リブ付きパイプと前記マンホール本体とが接続されている、可とう性継ぎ手構造であって、
前記可とう継ぎ手がゴム状弾性体からなり、前記可とう継ぎ手が、取り付け部と止水部と連結部とを有しており、前記連結部が前記取り付け部と前記止水部とを連結しており、前記取り付け部が前記マンホール本体に取り付けられており、前記止水部が前記リブ付きパイプを取り囲んでおり、前記止水部と前記リブ付きパイプとの間に、筒状の防水下地材が設けられており、前記防水下地材が、剛性を有する筒状体と可とう性を有する止水カバーとを含んでおり、前記筒状体が前記リブ付きパイプの外周に設けられており、前記止水カバーが前記筒状体の外周に設けられており、前記止水カバーが、前記筒状体を越えて延在する延在部を有しており、前記延在部が前記リブ付きパイプの外周面に密着しており、前記筒状体の外周上で、前記止水部と前記止水カバーとが密着していることを特徴とする、可とう性継ぎ手構造。
【請求項２】
前記止水部の外周面に、締結バンドが設けられており、前記締結バンドによって、前記止水部が前記止水カバーの外周面に締め付け固定されていることを特徴とする、請求項１記載の可とう性継ぎ手構造。
【請求項３】
前記止水部と前記止水カバーとが、粘着材層、弾性発泡体層又は水膨張性エラストマー層を介して密着していることを特徴とする、請求項１又は２記載の可とう性継ぎ手構造。
【請求項４】
前記延在部の外周面に、締結バンドが設けられており、前記締結バンドによって、前記延在部が前記リブ付きパイプの外周面のリブの谷部に締め付け固定されていることを特徴とする、請求項１〜３のいずれか一項記載の可とう性継ぎ手構造。
【請求項５】
前記延在部の外周面に、締結バンドが設けられており、前記延在部と前記リブ付きパイプとの間に、粘着材層、弾性発泡体層又は水膨張性エラストマー層が設けられており、前記締結バンドによって、前記延在部が前記リブ付きパイプの外周面のリブの頂上部に締め付け固定されており、前記リブの頂上部が前記粘着材層、前記弾性発泡体層又は水膨張性エラストマー層に食い込んでおり、前記リブの頂上部が前記粘着材層、前記弾性発泡体層又は水膨張性エラストマー層と密着していることを特徴とする、請求項１〜４のいずれか一項記載の可とう性継ぎ手構造。
【請求項６】
マンホール本体とリブ付きパイプとを接続する、可とう継ぎ手と筒状の防水下地材との組合せであって、
前記可とう継ぎ手がゴム状弾性体からなり、前記可とう継ぎ手が、取り付け部と止水部と連結部とを有しており、前記連結部が前記取り付け部と前記止水部とを連結しており、前記取り付け部が前記マンホール本体に取り付けられ、前記止水部が前記リブ付きパイプを取り囲むものであり、前記防水下地材が、剛性を有する筒状体と可とう性を有する止水カバーとを含んでおり、前記止水カバーが前記筒状体の外周に設けられており、前記止水カバーが、前記筒状体を越えて延在する延在部を有しており、前記筒状体が前記リブ付きパイプの外周に設けられ、前記延在部が前記リブ付きパイプの外周面に密着し、前記筒状体の外周上で、前記止水カバーが前記可とう継ぎ手の前記止水部に密着するものであることを特徴とする、可とう継ぎ手と防水下地材との組合せ。
【発明の詳細な説明】
【０００１】
【発明の属する技術分野】
本発明は、リブ付きパイプとマンホールとが、可とう継ぎ手によって接続されている可とう性継手構造に関する。また、本発明は、リブ付きパイプとマンホールとを接続する、可とう継ぎ手と筒状の防水下地材との組合せに関する。
【０００２】
【従来の技術】
マンホールと管の接続方法としては、従来より、マンホールと管の接続部にコンクリートやモルタル等を充填して止水する、巻き立て工法が用いられている。特開平８−２３２２８０号公報には、リブ付きパイプをマンホールに接続するためのマンホール継ぎ手が提案されている。図７（ａ）は、かかる継ぎ手を長さ方向に切断した縦断面図である。図７（ｂ）は、かかる継ぎ手を取り付けたマンホールの横断面図である。
【０００３】
図７（ａ）に示すように、マンホール継ぎ手１６は、短管１７とサドル１８とからなり、図７（ｂ）に示すように、リブ付きパイプ２が短管１７に嵌挿され、短管１７がサドル１８の内部に装着され、サドル１８の外周とマンホール１の削孔面１ａとの間がモルタル等の結合材１９で埋められることによって、リブ付きパイプ２をマンホール１に接続する。この際、リブ付きパイプ２のリブ間にリブの外周より大きめのパッキン２０を装着することにより、リブ付きパイプ２と短管１７の接続部が止水される。
【０００４】
【発明が解決しようとする課題】
しかし、このようにして設けられるパッキンは、埋戻し後、リブ管が土圧により短管の下側に押され集中応力を受ける傾向があり、削孔部の下側でパッキン材が圧縮され、短管とリブ付きパイプとが密に止水される一方、削孔部の上側で短管とリブ付きパイプとの間隙が開き、密着が弱くなり、十分な止水性が得られない。
【０００５】
また、かかる巻き立て工法では、コンクリート等の結合材が硬化するまで、長期間埋め戻しができず、作業性に劣る。更に、このようにして施工したマンホールは、不同沈下や地震等によってコンクリート等にクラックが発生することがあり、漏水や不明水の侵入が起こり易い欠点がある。
【０００６】
本発明は、リブ付きパイプとマンホールとを確実に接続し、十分な可とう性と止水性とを発揮する可とう性継ぎ手構造を得ることを目的とする。
【０００７】
【課題を解決するための手段】
本発明は、マンホール本体とリブ付きパイプと可とう継ぎ手とを備えており、前記可とう継ぎ手によって、前記リブ付きパイプと前記マンホール本体とが接続されている、可とう性継ぎ手構造であって、前記可とう継ぎ手がゴム状弾性体からなり、前記可とう継ぎ手が、取り付け部と止水部と連結部とを有しており、前記連結部が前記取り付け部と前記止水部とを連結しており、前記取り付け部が前記マンホール本体に取り付けられており、前記止水部が前記リブ付きパイプを取り囲んでおり、前記止水部と前記リブ付きパイプとの間に、筒状の防水下地材が設けられており、前記防水下地材が、剛性を有する筒状体と可とう性を有する止水カバーとを含んでおり、前記筒状体が前記リブ付きパイプの外周に設けられており、前記止水カバーが前記筒状体の外周に設けられており、前記止水カバーが、前記筒状体を越えて延在する延在部を有しており、前記延在部が前記リブ付きパイプの外周面に密着しており、前記筒状体の外周上で、前記止水部と前記止水カバーとが密着している、可とう性継ぎ手構造に係るものである。
【０００８】
また、本発明は、マンホール本体とリブ付きパイプとを接続する、可とう継ぎ手と筒状の防水下地材との組合せであって、前記可とう継ぎ手がゴム状弾性体からなり、前記可とう継ぎ手が、取り付け部と止水部と連結部とを有しており、前記連結部が前記取り付け部と前記止水部とを連結しており、前記取り付け部が前記マンホール本体に取り付けられ、前記止水部が前記リブ付きパイプを取り囲むものであり、前記防水下地材が、剛性を有する筒状体と可とう性を有する止水カバーとを含んでおり、前記止水カバーが前記筒状体の外周に設けられており、前記止水カバーが、前記筒状体を越えて延在する延在部を有しており、前記筒状体が前記リブ付きパイプの外周に設けられ、前記延在部が前記リブ付きパイプの外周面に密着し、前記筒状体の外周上で、前記止水カバーが前記可とう継ぎ手の前記止水部に密着するものである、可とう継ぎ手と防水下地材との組合せに係るものである。
【０００９】
本発明者は、コンクリート巻き立て工法の欠点を克服するため、ゴムや軟質プラスチック製の止水可とう継ぎ手を用いることを検討した。かかる止水可とう継ぎ手は、図８に示すものが知られている。図８は、かかる継ぎ手を用いたマンホール構造の縦断面図である。
【００１０】
図８に示すように、マンホール１の削孔部１ａには、止水可とう継ぎ手２１を介して、直管２２が接続される。かかる継ぎ手構造では、止水可とう継ぎ手２１が、管側円筒部２１ａとマンホール側円筒部２１ｂとからなる。管側円筒部２１ａは、締結バンド２３等で直管２２に締め付けられ、マンホール側円筒部２１ｂは、拡張バンド２４等でマンホール削孔部１ａに向かって拡張され、機械的に圧着固定される。
【００１１】
かかるマンホール構造では、地盤の変位等によって、マンホールと管との相対的位置関係が変化した場合でも、止水可とう継ぎ手がこれらの変位に追従し、可とう性と止水性が発揮される。
【００１２】
しかし、本発明者は、このようにして施工される止水可とう継ぎ手は、円形管とマンホールとの接続に対しては、十分な可とう性や止水性を発揮するが、接続する管がリブ付きパイプ等のような異形管の場合、継ぎ手の管側円筒部とリブ付きパイプ等との密着が十分に図れず、得られる継ぎ手構造に、十分な可とう性と止水性とを発揮させることができないことを突き止めた。
【００１３】
本発明者が更に検討したところ、かかるリブ付きパイプでは、従来の止水可とう継ぎ手を用いようとしても、リブが障害となり、継ぎ手の管側円筒部とパイプとの密着性が低下し、そのままでは、止水可とう継ぎ手をリブ付きパイプに適用できないことがわかった。
【００１４】
本発明者は、かかるリブ部の障害を取り除くため、種々の手段を検討した。その結果、本発明者は、可とう継ぎ手を施工する際、筒状の防水下地材をリブ付きパイプの外周に設けて、更にその防水下地材の外周に可とう継ぎ手を設けることによって、リブ付きパイプであっても、得られる可とう性継ぎ手構造が良好な止水性と可とう性を発揮できることを見出し、本発明を完成させた。
【００１５】
本発明にかかる可とう継ぎ手は、取り付け部と止水部と連結部とを有する。連結部は、取り付け部と止水部とを連結しており、取り付け部は、マンホール本体に取り付けられ、止水部はリブ付きパイプを取り囲む。
【００１６】
本発明にかかる防水下地材は、剛性を有する筒状体と可とう性を有する止水カバーとを含む。止水カバーは、筒状体の外周に設けられ、かかる筒状体を越えて延在する延在部を有する。筒状体は、リブ付きパイプの外周に設けられ、延在部は、リブ付きパイプの外周面に密着する。
【００１７】
本発明では、止水カバーの延在部によって、防水下地材とリブ付きパイプとの間の十分な止水性を確保することができる。また、本発明では、リブ付きパイプの外周に設けられる筒状体によって、リブ付きパイプのリブ部の障害が取り除かれ、筒状体の外周上で、可とう継ぎ手の止水部と止水カバーとを面接着によって確実に密着させることができる。
【００１８】
本発明の可とう性継ぎ手構造は、リブ付きパイプとマンホールとが、防水下地材を介して、可とう継ぎ手によって接続されており、十分な可とう性と止水性とを発揮することができる。
【００１９】
【発明の実施の形態】
図面を参照して、本発明を詳細に説明する。
図１は、本発明の一例の可とう性継ぎ手構造の縦断面図である。図２は、図１の可とう性継ぎ手構造の側面図である。図３は、本発明にかかる一例の防水下地材の取り付け状態を示す縦断面図である。図４は、本発明の他の例の可とう性継ぎ手構造の縦断面図である。図５は、図４の可とう性継ぎ手構造の側面図である。図６は、本発明にかかる他の例の防水下地材の取り付け状態を示す縦断面図である。
【００２０】
図１及び２に示すように、本発明では、マンホール本体１とリブ付きパイプ２とが、可とう継ぎ手３と筒状の防水下地材４とによって接続され、可とう性継ぎ手構造５が形成される。可とう継ぎ手３は、ゴム状弾性体からなり、取り付け部３ａと止水部３ｂと連結部３ｃとを有している。連結部３ｃは、取り付け部３ａと止水部３ｂとを連結している。取り付け部３ａは、マンホール本体１の削孔面１ａに取り付けられ、止水部３ｂは、リブ付きパイプ２を取り囲む。
【００２１】
防水下地材４は、止水部３ｂとリブ付きパイプ２との間に設けられる。防水下地材４は、剛性を有する筒状体４ａと可とう性を有する止水カバー４ｂとを含んでいる。筒状体４ａはリブ付きパイプ２の外周に設けられ、止水カバー４ｂは筒状体４ａの外周に設けられる。止水カバー４ｂは、筒状体４ａを越えて延在する延在部４ｃを有し、延在部４ｃは、リブ付きパイプ２の外周面に密着する。
【００２２】
かかる可とう性継ぎ手構造５では、リブ付きパイプ２のリブ２ａと谷部２ｂとで形成されている凹凸面が、筒状体４ａによって平坦化されるため、可とう継ぎ手３の止水部３ｂと止水カバー４ｂとが、筒状体４ａの外周上で面接着し、確実に密着する。
【００２３】
図１に示すように、止水カバー４ｂは、筒状体４ａからはみ出した一方の延在部４ｃを、リブ２ａ間の谷部２ｂで、締結バンド６により、リブ付きパイプ２に締め付け固定し、確実に密着させることができる。
【００２４】
図１に示すように、可とう継手３の止水部３ｂには、外周面に、締結バンド７を設けることができる。この締結バンド７によって、止水部３ｂを止水カバー４ｂの外周面に締め付け固定することができる。
【００２５】
また、図１に示すように、止水部３ｂと止水カバー４ｂとの間に、粘着材層、弾性発泡体層又は水膨張性エラストマー層８を設け、この粘着材層、弾性発泡体層又は水膨張性エラストマー層８を介して、止水部３ｂと止水カバー４ｂとを密着させることができる。かかる粘着材層、弾性発泡体層又は水膨張性エラストマー層は、押圧固定する部分や、締め付け固定する部分に使用すると、止水性が向上し有用である。
【００２６】
可とう継手３の締め付け部３ａは、図１に示すようにして、拡張バンド９によって、マンホール本体１の削孔面１ａに取り付けることができる。この際、粘着材層、弾性発泡体層又は水膨張性エラストマー層１０を削孔面１ａと取り付け部との間に配置すれば、削孔面１ａと取り付け部との間により高い密着性を得ることができる。
【００２７】
本発明にかかる可とう継ぎ手及び止水カバーは、数々の弾性を有する材料から形成することができる。例えば、スチレン・ブタジエンゴム、ＥＰＤＭ、クロロプレンゴム等の合成ゴム、天然ゴム、軟質塩化ビニル樹脂、熱可塑性エラストマー等から選ばれる少なくとも１種の弾性材料を用いることができる。
【００２８】
また、本発明にかかる筒状体、締結バンド及び拡張バンドは、ステンレス鋼、防錆メッキ鋼、硬質プラスチック、繊維強化プラスチック等の材質のものを使用できる。中でも、特に、腐食し難い材質のものが望ましい。
【００２９】
更に、本発明にかかる粘着材層、弾性発泡体層又は水膨張性エラストマー層は、ブチルゴム系粘着材、水膨潤性エラストマー、ゴムスポンジ等から選ばれる少なくとも１種の材料から形成することができる。
【００３０】
本発明にかかる防水下地材４は、図３に示すように、リブ付きパイプ２に取り付けることができる。まず、筒状体４ａの内周面がリブ２ａの外周面に沿うように、リブ付きパイプ２を筒状体４ａに挿入し、次に、この筒状体４ａで覆われたリブ付きパイプ２を、止水カバー４ｂに挿入することができる。
【００３１】
その際、止水カバー４ｂの延在部４ｃを、図３に示すように折り返し、延在部４ｄとして、この状態で、リブ付きパイプ２を止水カバー４ｂに挿入する。止水カバー４ｂが筒状体４ａの外周の所定の位置まできたら、折り返されていた延在部４ｄをＴ方向に折り返して元に戻し、延在部４ｃをリブ２ａの間の谷部２ｂに密着させることができる。
【００３２】
このようにして設けられた止水カバーの延在部は、図１に示すように、リブ谷部で、外周から締結バンドによって、止水固定することができる。その後、かかるリブ付きパイプは、マンホール削孔面に取り付けられた可とう継ぎ手の止水部に挿入され、位置決めされた後、止水部と止水カバーとが、締結バンドによって連結固定され、止水構造を形成することができる。
【００３３】
また、本発明では、図４及び５に示すような可とう性継ぎ手構造を形成することができる。この可とう性継ぎ手構造１１では、リブ付きパイプ２のリブ２ａの頂上部付近を止水する防水下地材１２を用いることができる。
【００３４】
防水下地材１２は、剛性の筒状体１２ａと止水カバー１２ｂとからなり、止水カバー１２ｂは、筒状体１２ａよりはみ出した延在部１２ｃを有する。延在部１２ｃは、幅広の締結バンド１３で、リブ付きパイプ２のリブ２ａの頂上部に締め付けられ、止水固定される。
【００３５】
このようにして防水下地材１２が設けられたリブ付きパイプ２は、マンホール本体１の削孔面１ａに取り付けられた可とう継ぎ手３の止水部３ｂに挿入され、位置決めされた後、止水部３ｂと止水カバー１２ｂとが、締結バンド７によって連結固定され、止水構造１１が形成される。
【００３６】
図４及び６に示すように、延在部１２ｃとリブ付きパイプ２との間には、粘着材層、弾性発泡体層又は水膨張性エラストマー層１４を設けることができる。この場合、図４に示すように、締結バンド１３により、延在部１２ｃがリブ付きパイプ２の外周面のリブ２ａの頂上部に締め付け固定すれば、リブ２ａが粘着材層、弾性発泡体層又は水膨張性エラストマー層１４に食い込み、リブ２ａが粘着材層、弾性発泡体層又は水膨張性エラストマー層１４と確実に密着する。
【００３７】
また、図４に示すように、拡張バンド９には、可とう継手３の据え付け位置を確定できる据え付け位置固定金具１５を溶接等で装備することができる。これにより、可とう継手３の安定した据え付け位置が確保でき、止水性も向上する。
【００３８】
【発明の効果】
本発明の可とう性継ぎ手構造によれば、従来複雑な処理が必要であったリブ付きパイプとマンホールの接続が簡単にでき、接続状態において、マンホールとリブ付きパイプとの相対的位置関係が変位しても、可とう継手と防水下地材とがかかる変位に追従し、しかも止水性を充分に維持することができる。このため、本発明の可とう性継ぎ手構造は、下水道設備の管理やメンテナンスに極めて有用である。
【図面の簡単な説明】
【図１】本発明の一例の可とう性継ぎ手構造の縦断面図である。
【図２】図１の可とう性継ぎ手構造の側面図である。
【図３】本発明にかかる一例の防水下地材の取り付け状態を示す縦断面図である。
【図４】本発明の他の例の可とう性継ぎ手構造の縦断面図である。
【図５】図４の可とう性継ぎ手構造の側面図である。
【図６】本発明にかかる他の例の防水下地材の取り付け状態を示す縦断面図である。
【図７】（ａ）は、従来の継ぎ手を長さ方向に切断した縦断面図である。
（ｂ）は、（ａ）の継ぎ手を取り付けたマンホールの横断面図である。
【図８】可とう継手を用いたマンホール構造の縦断面図である。
【符号の説明】
１  マンホール本体
１ａ  削孔面
２  リブ付きパイプ
２ａ  リブ
２ｂ  谷部
３  可とう継ぎ手
３ａ  取り付け部
３ｂ  止水部
３ｃ  連結部
４，１２  防水下地材
４ａ，１２ａ  筒状体
４ｂ，１２ｂ  止水カバー
４ｃ，１２ｃ  延在部
４ｄ  折り返された延在部
５，１１  可とう性継ぎ手構造
６，７，１３，２３  締結バンド
８，１０，１４  粘着材層、弾性発泡体層又は水膨張性エラストマー層
９，２４  拡張バンド
１５  据え付け位置固定金具
１６  継ぎ手
１７  短管
１８  サドル
１９  結合材
２０  パッキン
２１  止水可とう継ぎ手
２２  直管
【図１】
0003787033.tif 000002
【図２】
0003787033.tif 000003
【図３】
0003787033.tif 000004
【図４】
0003787033.tif 000005
【図５】
0003787033.tif 000006
【図６】
0003787033.tif 000007
【図７】
0003787033.tif 000008
【図８】
0003787033.tif 000009